(57)【特許請求の範囲】
【請求項１】
被吊下体２上面から一側面下部開口のフック３を起立してなる吊下機構であって、上記フック３を、自由端ａで各一端を連結するとともに、相互間に逃げ代としての間隙４を設けた一対の外側弾性帯板５及び内側弾性帯板６で形成し、且つ、内側弾性帯板６の末端部6Eを離隔状態のまま自由端ａ下方まで円弧状に上昇延設した後被吊下体上面に連結してなり、上記自由端ａと内側弾性帯板６の末端部頂部ｃとの間に形成された吊下用ロッド７の出入口８を、その開口幅ｄがロッド７の直径よりも小さくなる如く構成し、外側弾性帯板５を正面視円弧状に形成するとともに、内側弾性帯板６の自由端ａから末端部頂部ｃまでを正面視円弧状に形成してなることを特徴とする吊下機構。
【請求項２】
上記内側弾性帯板６の末端部6Eを、上記フック自由端ａ下方に於いて極大となる如く且つ末端ｂを自由端ａ側方の被吊下体２上面に連結して正面視が弾性変形可能な山型に形成し、その下方に上記間隙４よりも大きな山型状の間隙をあけてなる請求項１記載の吊下機構。
【請求項３】
上記被吊下体２が、収納物を挿入可能なケース状の容器体９である請求項１又は請求項２のいずれかに記載の吊下機構を備えた吊下容器。
【発明の詳細な説明】
【０００１】
【発明の属する技術分野】
本発明は吊下機構及び該機構を備えた吊下容器に関する。
【０００２】
【従来の技術】
吊下容器として、例えば、内部に防虫剤、消臭剤などを収納した容器本体の上面よりフックを立設し、該フックを対象とする吊り下げ場所のロッドに係合して吊り下げ使用するものがある。
【０００３】
従来のこの種の容器に於けるフックは、リングの一側端を開口した円弧状をなしているため、特定方向の外力によりフックが外れて落ちる場合がしばしばあり、特に洋服ダンス等に使用する防虫剤容器の場合などには、収納された洋服やハンガーによりあらゆる方向から外力を受け易く、その傾向が強い。
【０００４】
また、この様な点を考慮して、フックを弾性変形可能として、フック吊り下げ用のロッドへのフック嵌合時には、そのフックが有するロッド出入口が弾性拡開してその嵌合が容易である反面、そのロッド出入口の弾性復元による狭小化で、フックが外れ難く設けたものが提案されている（特開平１１−１３００８１号公報）。
【０００５】
上記フックは正面視がｃ字状をなし、その出入口の開口幅は狭ければ狭いほど、一旦嵌合させたロッドが外力により不都合に外れるのを防止できるものであるが、この様なフックでは、弾性変形の限界もあって出入口の開口幅をロッドが通過しずらい狭いものとするのに限度がある。
【０００６】
【発明が解決しようとする課題】
本発明は上記した点に鑑みなされたもので、出入口の開口幅が同程度であっても吊り下げ後の外力等による不都合な落下を更に良好に防止でき、しかも着脱も容易な吊下機構及び該機構を備えた吊下容器を提案するものである。また、出入口の開口幅を極力狭くすることができて外力による不都合な落下を防止できるとともに、吊り下げる際には狭い開口幅であっても容易に拡開できて装着を容易に行え、更に、取り外す際にも所定の手続をとれば簡単に行える吊下機構及び該機構を備えた吊下容器を提案するものである。
【０００７】
【課題を解決するための手段】
第１の手段として、以下の通り構成した。即ち、被吊下体２上面から一側面下部開口のフック３を起立してなる吊下機構であって、上記フック３を、自由端ａで各一端を連結するとともに、相互間に逃げ代としての間隙４を設けた一対の外側弾性帯板５及び内側弾性帯板６で形成し、且つ、内側弾性帯板６の末端部6Eを離隔状態のまま自由端ａ下方まで円弧状に上昇延設した後被吊下体上面に連結してなり、上記自由端ａと内側弾性帯板６の末端部頂部ｃとの間に形成された吊下用ロッド７の出入口８を、その開口幅ｄがロッド７の直径よりも小さくなる如く構成したことを特徴とする吊下機構。
【０００８】
第２の手段として、以下の通り構成した。即ち、前記第１の手段に於いて、上記外側弾性帯板５を正面視円弧状に形成するとともに、内側弾性帯板６の自由端ａから末端部頂部ｃまでを正面視円弧状に形成した。
【０００９】
第３の手段として、以下の通り構成した。即ち、前記第２の手段に於いて、上記内側弾性帯板６の末端部6Eを、上記フック自由端ａ下方に於いて極大となる如く且つ末端ｂを自由端ａ側方の被吊下体２上面に連結して正面視が弾性変形可能な山型に形成し、その下方に上記間隙４よりも大きな山型状の間隙をあけて構成した。
【００１０】
第４の手段として、以下の通り構成した。即ち、上記被吊下体２が、収納物を挿入可能なケース状の容器体９である第１の手段乃至第３の手段のいずれかのに記載の吊下機構を備えなた吊下容器。
【００１１】
【発明の実施の形態】
以下、本発明の実施の形態を図面を参照して説明する。
【００１２】
図１に示す如く本発明の吊下機構１は、被吊下体２上面よりフック３を起立している。
【００１３】
フック３は一側方下部を開口した鉤型をなしており、自由端ａで各一端を連結するとともに、相互間に逃げ代としての間隙４を設けた一対の外側弾性帯板５及び内側弾性帯板６で構成され、円弧状に形成されたものが好ましく使用される。
【００１４】
内側弾性帯板６は、その末端部6Eを離隔状態のまま自由端ａ下方まで円弧状に上昇延設した後被吊下体２上面に末端ｂを連結している。また、上記自由端ａと末端部頂部ｃとの間に形成され且つ被吊下体吊り下げ用のロッド７を出し入れさせる出入口８の開口幅ｄを、ロッド７の直径よりも小さく形成している。
【００１５】
図２は、円筒状のロッド７に、本発明吊下機構１を吊り下げる場合の一例を示したものである。図２(a) にある如く、ロッド７と直行して出入口８を当接させ、フック３を押し込むと、各弾性帯板の主として上部が弾性変形して拡開し、出入口８が広がるとともに、第２図(b) にある如く、ロッド７が出入口８より内方へ侵入可能となる。この際、出入口８の開口幅ｄがロッド７の直径より小さいためロッド７は自由端ａを押圧し、各外側弾性帯板５及び内側弾性帯板６の両方に力が及び、その結果両者が弾性変形するため容易に拡開する。
【００１６】
次いで、フック３を更に押し込むことにより、第２図(c) にある如く、ロッド７がフック３内に係合し、その際、各弾性帯板は元の状態に弾性復元して出入口８を元の狭い開口幅に戻す。この様な吊下状態においては、外力が働いても，出入口８が狭いことと、内側弾性帯板６が緩衝材となり、外側弾性帯板５の弾性変形を減少させることとがあいまって、極めて外れ難くなる。
【００１７】
取り外しの際には、この状態から出入口８と逆方向にフック３を押し込んで出入口８の開口幅を広くした後、更にフック３を押し込めば容易に取り外すことができる。尚、この際もロッド７が自由端ａに当接して両弾性帯板を弾性変形させるため出入口８が容易に拡開する。また、フック３の押込みの際には、被吊下体２をもって行うと良い。
【００１８】
図３は他の実施例を示し、内側弾性帯板６の末端部6Eを、上記フック自由端ａ下方に於いて極大となる如く且つ末端ｂを自由端ａ側方の被吊下体２上面に連結して側面視が弾性変形可能な山型に形成している。また、この場合も出入口８の開口幅ｄをロッド７の直径よりも小さく形成している。
【００１９】
内側弾性帯板６の末端部6Eの山型形状は、上記した要件を満たしていれば種々採用できるが、図３に示す実施例では、内側弾性帯板６の自由端ａから末端部頂部ｃまでを円弧状に、末端部頂部ｃから末端ｂまでを傾斜状に形成して末端部の山型形状を構成しており、ロッド７への嵌着時にロッドにより傾斜部分を押圧すると、山型部分が出入口８の開口幅を広げる如く確実に弾性変形させることができ、容易なロッドへの装着ができる如く構成している。また、山頂部分が比較的鋭角に設けられているため、一旦嵌合したロッド７が円弧状部分を側方に向かって押圧しても形状的に山型部分がつぶれ難く、勝手に出入口８が広がらない様に構成している。
【００２０】
本実施例の吊下機構１を円筒状のロッド７に吊り下げる場合の一例を説明すると、ロッド７と直行して出入口８を当接させ、フック３を押し込むと、図３の２点鎖線で示す如く、ロッド７が内側弾性帯板６の末端部6Eの傾斜部分を押下げる如く弾性変形させるとともに、上部の各弾性帯板が弾性変形して出入口８が広げられ、内側弾性帯板６が外方逃げ代としての間隙４方向へ押し込められ、ロッド７が出入口８より内方へ侵入可能となる。
【００２１】
次いで、フック３を更に押し込むことにより、ロッド７がフック３内に係合し、その際、各弾性帯板は元の状態に弾性復元して出入口８を元の狭い開口幅に戻す。この様な吊下状態においては、外力が働いても，同様に出入口８が狭いことと、内側弾性帯板６が緩衝材となり、外側弾性帯板５の弾性変形を減少させることとがあいまって、極めて外れ難くなる。
【００２２】
取り外しの際には、この状態から指で内側弾性帯板６の傾斜部分を押し下げ、出入口８の開口幅を広くした後、フック３を出入口８とは逆方向に押し込めば容易に取り外すことができる。尚、この場合もフック３の押込みの際には、被吊下体２をもって行うと良い。
【００２３】
被吊下体２は種々の形態のものが使用でき、図示例の如きケース状のもの或いは板状のもの、その他あらゆる吊下物に対応できる。また、その材質も合成樹脂、金属、木等種々のものが使用できるが、各弾性帯板とともに合成樹脂により一体に形成すると成形上便利である。
【００２４】
図１は本発明の吊下容器Ａの一例を示すもので、該容器Ａは、上記した本発明の吊下機構１を備えている。吊下容器Ａは、被吊下体２として、収納物を挿入可能なケース状の容器体９を採用している。収納物として、例えば、防虫剤や消臭剤を挙げられるがこれに限られない。
【００２５】
図示例の容器体９は、全体として平たい中空のケース状をなし、横長矩形状の前壁周縁部より後方へ周壁を延設した前部容器体と、横長矩形状の後壁周縁部より前方へ周壁を延設した後部容器体とを、各周壁の端面相互を当接して、固定手段により強固に固定している。固定手段としては、前壁の内面周縁部の複数箇所と、後壁の内面周縁部の複数箇所とにそれぞれ設けた突起と嵌合筒との嵌合を採用しているが、これに限られない。また、容器体の前後壁には、防虫剤を揮散させるための多数の窓孔10を穿設している。
【００２６】
また、前部容器体の上面中央部より左方下部を開口したフック３を立設している。フック３を構成する外側弾性帯板５及び内側弾性帯板６は前部容器体上面より立設し、両者は前部容器体と合成樹脂により一体に形成されている。尚、これら前部容器体及び後部容器体をそれぞれヒンジを介して一体に成形し、全体を合成樹脂により一体に形成することも当然可能である。
【００２７】
【発明の効果】
以上説明した如く、本発明の吊下機構は、出入口８の開口幅ｄがロッド７の直径より小さいためロッド７は自由端ａを押圧し、各外側弾性帯板５及び内側弾性帯板６の両方に力が及び、その結果両者が弾性変形するため容易に拡開し、ロッド７への吊り下げを容易に行うことができる。また、一旦吊り下げた後は出入口８の開口幅が狭いことと、内側弾性帯板６が緩衝材となることとが相俟って、外力により不用意に外れることが少なく、確実に吊り下げ状態を維持できるものである。更に、その構造も簡単で、容易に形成できる利点を兼ね備える。
【００２８】
また、第３の手段の吊下機構は、弾性帯板の末端部6Eを弾性変形可能な山型に形成していることと、内側弾性帯板６の逃げ代としての間隙４を設けていることとが相俟って、出入口８の開口幅ｄを充分狭いものとしても、嵌入に充分な大きさに拡開でき、また、一旦吊り下げた後は出入口８の開口幅ｄが狭いことと、内側弾性帯板６が緩衝材となることとが相俟って、外力により不用意に外れることが少なく、確実に吊り下げ状態を維持できるものである。
【００２９】
また、第４の手段の吊下容器は、防虫剤などを収納してタンス内のロッドに吊り下げた際に、洋服やハンガー等の出し入れにより容器が外れたり、タンス内下面に落ちて気がつかずにいたりすることが少なく、充分な容器体内容物の効力を発揮できるものである。
【図面の簡単な説明】
【図１】本発明の一実施例を示す正面図である。
【図２】同実施例の作用を説明する説明図である。
【図３】本発明の他の実施例を示す要部正面図である。
【符号の説明】
１…吊下機構，２…被吊下体，３…フック，４…間隙，５…外側弾性帯板，６…内側弾性帯板，７…ロッド，８…出入口，９…容器体，Ａ…吊下容器，ａ…自由端，ｂ…末端，ｃ…末端部頂部，ｄ…開口幅
【図１】
0004125504.tif 000002
【図２】
0004125504.tif 000003
【図３】
0004125504.tif 000004